(57)【要約】【課題】セキュリティ面で問題となる意に反した通信使用を招くことなく、しかも簡便に再生用データの通信を行うことができるデータ再生装置を提供する。【解決手段】データ再生装置において通常、データ再生行為に使われている着脱可能なデバイスとして、例えばヘッドフォンユニットを用い、このヘッドフォンユニットに認証コードが記録された記憶素子１０８を含ませる。そして、このヘッドフォンユニットを通信相手と交換して、データ通信のための相互認証を行い、データの転送が終了すると、相互認証状態が解除される。再び相互認証を確立した通信を開始するには、ヘッドフォンユニットの着脱を元に戻して、再度ヘッドフォンユニットの交換を行わなくてはならない。交換相手が目視できる近距離で、上記デバイスの着脱によって相互認証を行うため、不正使用を防止できる。【選択図】図２
2009105642.tif 000002
【特許請求の範囲】
【請求項１】
通信開始前に認証コードによる相互認証を必要とする第１の通信手段と、再生用データを再生する再生手段とを有し、前記再生用データの再生に用いる着脱可能なデバイスが少なくとも１つ装着されるデータ再生装置において、
前記認証コードが記録された記憶素子を前記着脱可能なデバイスに設け、
外部のデータ再生装置で使用する前記着脱可能なデバイスを装着しているときに、前記外部のデータ再生装置との間で相互認証を確立して、前記第１の通信手段を介して前記再生用データの通信を開始する手段を備えたことを特徴とするデータ再生装置。
【請求項２】
前記記憶素子に記録された認証コードを読み出す手段と、
前記記憶素子に記録された認証コードを保持する手段と、
前記記憶素子から読み出した認証コードを送信する手段と、
外部のデータ再生装置から認証コードを受信する手段と、
前記外部のデータ再生装置から受信した認証コードと前記保持している認証コードとを比較して、前記外部のデータ再生装置との間で相互認証を確立することを特徴とする請求項１に記載のデータ再生装置。
【請求項３】
前記再生用データの通信を終了した後は、前記相互認証を再び確立するまで、前記第１の通信手段を介して前記再生用データの通信を行わないことを特徴とする請求項１または２に記載のデータ再生装置。
【請求項４】
前記着脱可能なデバイスの取り外しを検知する手段と、ユーザからの指令を受け付ける手段と、前記再生用データの通信の開始からの経過時間を計測する手段とを有し、
前記着脱可能なデバイスの取り外しの検知、ユーザからの指令、前記外部のデータ再生装置からの要求信号、或いは前記再生用データの通信の開始から予め決められた一定時間の経過により、前記第１の通信手段による通信を終了することを特徴とする請求項１乃至３のいずれか一項に記載のデータ再生装置。
【請求項５】
通信開始前に認証コードによる相互認証を必要としない第２の通信手段をさらに有し、
前記着脱可能なデバイスを用いて再生されているデータと同一のデータを、前記第２の通信手段によって送信することを特徴とする請求項１乃至４のいずれか一項に記載のデータ再生装置。
【請求項６】
前記再生手段は、前記再生用データを保存するための記憶手段を有し、
前記第２の通信手段によって送信される再生用データは、前記記憶手段に記憶されたデータを加工したデータであることを特徴とする請求項５に記載のデータ再生装置。
【請求項７】
前記再生手段は、
前記第２の通信手段によって受信した再生用データを、前記再生手段で再生中のデータに重ね合わせて再生することを特徴とする請求項５または６に記載のデータ再生装置。
【請求項８】
前記第２の通信手段で受信可能な複数のデータ通信があるときは、最も受信状態の良いデータ通信を選択する手段を有することを特徴とする請求項５乃至７のいずれか一項に記載のデータ再生装置。
【請求項９】
前記第１の通信手段によって再生用データの転送が行われているときに、該転送中の再生用データを加工して生成したデータを前記第２の通信手段で送信することを特徴とする請求項５乃至８のいずれか一項に記載のデータ再生装置。
【請求項１０】
発光手段を設け、
前記第１及び第２の通信手段によって送信が行われている再生用データの強弱に応じて、前記発光手段の発光輝度の強弱を制御する手段を有することを特徴とする請求項９に記載のデータ再生装置。
【請求項１１】
請求項１乃至１０のいずれか一項に記載の少なくとも２つのデータ再生装置を有するデータ再生システムにおいて、
前記相互認証のシーケンスが開始された後、前記着脱可能なデバイスを着脱した順序に従って、前記各データ再生装置についてデータの送信側及び受信側の設定を行うことを特徴とするデータ再生システム。
【請求項１２】
通信開始前に認証コードによる相互認証を必要とする通信手段と、再生用データを再生する再生手段とを有し、前記再生用データの再生に用いる着脱可能なデバイスが少なくとも１つ装着され、該着脱可能なデバイスに、前記認証コードが記録された記憶素子が設けられたデータ再生装置のデータ通信方法であって、
外部のデータ再生装置で使用する前記着脱可能なデバイスを装着しているときに、前記外部のデータ再生装置との間で相互認証を確立して、前記通信手段を介して前記再生用データの通信を開始することを特徴とするデータ再生装置のデータ通信方法。
【請求項１３】
通信開始前に認証コードによる相互認証を必要とする通信手段と、再生用データを再生する再生手段とを有し、前記再生用データの再生に用いる着脱可能なデバイスが少なくとも１つ装着され、該着脱可能なデバイスに、前記認証コードが記録された記憶素子が設けられたデータ再生装置のデータ通信方法を実現するための、コンピュータで読み取り可能なプログラムであって、
外部のデータ再生装置で使用する前記着脱可能なデバイスが装着されたことを検知する工程と、
外部のデータ再生装置で使用する前記着脱可能なデバイスが装着されているときに、該外部のデータ再生装置との間で相互認証を確立して、前記通信手段を介して前記再生用データの通信を開始する工程とを有することを特徴とするプログラム。
【発明の詳細な説明】
【技術分野】
【０００１】
本発明は、通信機能を有するデータ再生装置及びそのデータ通信方法、前記データ再生装置を有するデータ再生システム、並びに前記データ通信方法を実現するためのプログラムに関する。
【背景技術】
【０００２】
無線通信機能を有し、音や画像の再生が可能なデータ再生装置は従来より知られている。このようなデータ再生装置が、無線通信を介して、他のデータ再生装置に記録されたデータのコピーを行う場合は、通信開始前に事前認証を必要する方法が用いられることが多い。例えば、無線通信の認証のために別の通信手段である有線通信を用いたり、通信当事者間で互いに特定の認証コードを入力したりする方法がある。しかし、両方法とも使用者には煩雑な手続きである上、後者の方法は認証コードの偽造などの可能性があった。
【０００３】
そこで、例えば特許文献１には、クレジットカード状の記録媒体を用いて相互認証を行う方法が提案されている。この方法によれば、無線端末もしくは無線基地局における認証処理で用いられる認証用情報が格納された認証カードを用いて、認証用情報を無線基地局と無線端末との間で受け渡しする。例えば、無線端末の端末情報が書き込まれた認証カードが、ユーザによって無線基地局のカード読み出し部に挿入されると、その認証カード内に格納された無線端末の端末情報が無線基地局に登録される。そして、無線端末の電源が投入されたときに、無線端末は無線基地局に対して認証要求を送付する。認証要求を受け取った無線基地局は、無線端末の認証処理を行い、認証が成立したならば無線端末にアクセス許可を通知する。アクセス許可の通知後は、無線基地局と無線端末との間で通信が行われる。
【特許文献１】特開２００１−１８９７２２号公報
【発明の開示】
【発明が解決しようとする課題】
【０００４】
しかしながら、上記特許文献１の方法では、無線基地局と無線端末との間で一度、通信の認証が成立すると、電源が切れるなどしない限り、そのまま認証状態が長時間継続されてしまう。その結果、意に反した通信データのコピーや盗聴などセキュリティ面で問題となる通信使用を招く可能性が大きい。
【０００５】
また、認証のための専用記録媒体である認証カードは、不意の電源遮断などに備えて常に携帯する必要があり不便であった。
【０００６】
本発明は上記従来の問題点に鑑み、次のような、データ再生装置及びそのデータ通信方法、データ再生システム、並びにプログラムを提供することを目的とする。即ち、セキュリティ面で問題となる意に反した通信使用を招くことなく、しかも簡便に再生用データの通信を行うことができるようにすることを目的とする。
【課題を解決するための手段】
【０００７】
上記目的を達成するために、本発明のデータ再生装置は、通信開始前に認証コードによる相互認証を必要とする第１の通信手段と、再生用データを再生する再生手段とを有し、前記再生用データの再生に用いる着脱可能なデバイスが少なくとも１つ装着されるデータ再生装置において、前記認証コードが記録された記憶素子を前記着脱可能なデバイスに設け、外部のデータ再生装置で使用する前記着脱可能なデバイスを装着しているときに、前記外部のデータ再生装置との間で相互認証を確立して、前記第１の通信手段を介して前記再生用データの通信を開始する手段を備えたことを特徴とする。
【０００８】
また、本発明のデータ再生システムは、上記記載の少なくとも２つのデータ再生装置を有するデータ再生システムにおいて、前記相互認証のシーケンスが開始された後、前記着脱可能なデバイスを着脱した順序に従って、前記各データ再生装置についてデータの送信側及び受信側の設定を行うことを特徴とする。
【０００９】
また、本発明のデータ再生装置のデータ通信方法は、通信開始前に認証コードによる相互認証を必要とする通信手段と、再生用データを再生する再生手段とを有し、前記再生用データの再生に用いる着脱可能なデバイスが少なくとも１つ装着され、該着脱可能なデバイスに、前記認証コードが記録された記憶素子が設けられたデータ再生装置のデータ通信方法であって、外部のデータ再生装置で使用する前記着脱可能なデバイスを装着しているときに、前記外部のデータ再生装置との間で相互認証を確立して、前記通信手段を介して前記再生用データの通信を開始することを特徴とする。
【００１０】
また、本発明のプログラムは、通信開始前に認証コードによる相互認証を必要とする通信手段と、再生用データを再生する再生手段とを有し、前記再生用データの再生に用いる着脱可能なデバイスが少なくとも１つ装着され、該着脱可能なデバイスに、前記認証コードが記録された記憶素子が設けられたデータ再生装置のデータ通信方法を実現するための、コンピュータで読み取り可能なプログラムであって、外部のデータ再生装置で使用する前記着脱可能なデバイスが装着されたことを検知する工程と、外部のデータ再生装置で使用する前記着脱可能なデバイスが装着されているときに、該外部のデータ再生装置との間で相互認証を確立して、前記通信手段を介して前記再生用データの通信を開始する工程とを有することを特徴とする。
【発明の効果】
【００１１】
本発明によれば、セキュリティ面で問題となる意に反した通信使用を招くことなく、しかも簡便に再生用データの通信を行うことが可能になる。
【発明を実施するための最良の形態】
【００１２】
以下、本発明の実施の形態について、図面を参照しながら説明する。
【００１３】
＜装置の構成＞
図１は、本発明の実施の形態に係るデータ再生装置の構成を示すブロック図である。
【００１４】
本実施の形態に係るデータ再生装置は、例えば音楽再生用の装置として説明する。
【００１５】
このデータ再生装置１１３は、データ記憶部１００、制御ユニット１０１、音楽再生ユニット１０２、表示部１０３、操作部１０４、着脱検出部１０５、ＬＥＤボタン１０９、無線通信Ｉ／Ｆ１１２、及び有線通信Ｉ／Ｆ（通信コネクタ）１１１を備えている。
【００１６】
データ再生装置１１３は、図示しない中央演算装置とＲＯＭとＲＡＭ等から成る制御ユニット１０１によって動作が制御される。ＲＯＭには、中央演算装置が実行する制御プロクラムが格納され、ＲＡＭは中央演算装置のワークエリア等として利用される。
【００１７】
ユーザが操作部１０４によって本データ再生装置１１３の操作を行うと、制御ユニット１０１によりデータ記憶部１００から例えばデジタル音楽データが読み出され、音楽再生ユニット１０２に転送される。
【００１８】
音楽再生ユニット１０２は、音楽データをアナログ信号に変換し、着脱検出部１０５に接続されたヘッドフォンユニット１０６に送出する。ユーザはヘッドフォンユニット１０６の一部を両耳に装着することで音楽を鑑賞する。ヘッドフォンユニット１０６は、小型スピーカーユニットを内蔵したヘッドフォン１０７と、記憶素子１０８とで構成されている。記憶素子１０８は読み書き可能な不揮発性メモリであり、制御ユニット１０１は記憶素子１０８に、無線通信Ｉ／Ｆ１１２を使用する通信の相互認証に用いる認証コードの読み書きが可能である。この認証コードの書き込みは、操作部１０４からのユーザの指令、或いは予め決められたタイミングで行われる。
【００１９】
また、制御ユニット１０１は、着脱検出部１０５にヘッドフォンユニット１０６が脱着されたことを検知する機能、データ記憶部１００に記録された楽曲のデータリストを表示部１０３に表示する機能を有している。ユーザは、表示部１０３の表示内容を操作部１０４によって選択し、自由に再生することができるようになっている。
【００２０】
ユーザが本データ再生装置１１３に新たな楽曲データを追加する際には、有線通信Ｉ／Ｆ１１１を外部コンピュータに接続し、楽曲データを転送してデータ記憶部１００に保存することになる。
【００２１】
さらに、制御ユニット１０１は、無線通信Ｉ／Ｆ１１２と通信アンテナ１１４を通じて外部と楽曲データの送受信を行う機能を有する。無線通信Ｉ／Ｆ１１２は、通信開始前に認証コードによる相互認証が必要な無線通信モード（第１の通信手段）と、相互認証が不要な無線通信モード（第２の通信手段）を使用することができる。通信アンテナ１１４を通じて送受信される音楽データは、出力される電波が微弱であるために、送受信する対象のデータ再生装置同士が数ｍ以内の近距離に存在しないと送受信を行うことができない。
【００２２】
ＬＥＤボタン１０９は、押しボタン付きＬＥＤであって、押しボタン本体の中心部に発光ＬＥＤを装備したボタンである。ユーザはこのＬＥＤボタン１０９の押下によって、制御ユニット１０１に指令を与えることができる。また、制御ユニット１０１は、無線通信モードのいずれの通信状態であるかを、当該発光ＬＥＤの点灯／消灯／点滅／発光色の変更によって、表示することができる。
【００２３】
＜楽曲データコピー時の概略動作＞
図２（ａ），（ｂ）は、本実施の形態における楽曲データコピー時の動作を説明するための外観模式図であり、同図（ａ）は楽曲データ試聴時の状態、同図（ｂ）は楽曲データコピー時の状態を示している。また、図３は、本実施の形態における楽曲データコピー時の動作を示すシーケンス図である。
【００２４】
図２（ａ）に示すように、ユーザＡがデータ再生装置１１３Ａの所有者であり、ユーザＢがデータ再生装置１１３Ｂの所有者である。データ再生装置１１３Ａ，１１３Ｂには、取り外し可能なヘッドフォンユニット１０６Ａ，１０６Ｂがそれぞれ装着されている。本例では、ユーザＡが持つデータ再生装置１１３Ａの楽曲データをユーザＢが自身の持つデータ再生装置１１３Ｂにコピー転送する場合の動作手順（１）〜（６）について、図２及び図３を参照して説明する。なお、図３に示したユーザＣのデータ再生装置１１３Ｃは、データ再生装置１１３Ａ及び１１３Ｂの周辺に存在するものの、楽曲データのコピー転送の対象とならない装置である。
【００２５】
（１）Ｓ３０１〜Ｓ３０３の動作
まず、ユーザＡ、Ｂは共に、データ再生装置１１３Ａ，１１３Ｂを試聴モードにする（図３のＳ３０１、Ｓ３０２、Ｓ３０３）。即ち、図１に示した構成のデータ再生装置を操作するユーザが操作部１０４でリスト表示を指示すると、制御ユニット１０１は、データ記憶部１００に記録されている楽曲データのリストを作成し、表示部１０３に表示する。ユーザは操作部１０４で再生を指示すると、制御ユニット１０１は該当する楽曲データの再生を行う。これによってユーザはヘッドフォンユニット１０６により楽曲の鑑賞を行うことができる。
【００２６】
ここで、ユーザＡ、Ｂは操作部１０４により試聴モードを選択する。これを受けて制御ユニット１０１は無線通信Ｉ／Ｆ１１２を通じて、再生中の楽曲データを送信する。このとき、無線通信は相互認証が不要な無線通信モードを用い、送信される楽曲データは再生中の楽曲データを加工して、音質は低下するが圧縮率が高い方式で圧縮して送信する。これは、相互認証を必要としない通信は、公共放送と同様に誰でも受信できるため、コンテンツを保護するために行う。
【００２７】
制御ユニット１０１は上記通信を行いながら同時に受信を行う。ユーザＡの周囲にユーザＢがいるので、ユーザＡのデータ再生装置１１３ＡはユーザＢが再生している楽曲と同一のものを受信することが可能である。また、ユーザＢも同様にユーザＡが再生している楽曲を受信することができる。
【００２８】
このように試聴モードでは、図２（ａ）に示すように、自身が聴いている楽曲が周辺のデータ再生装置との間で相互認証が不要な無線通信モードで送信されると共に、周辺のデータ再生装置が再生している楽曲を受信することができる。したがって、試聴モードでは、自分が再生している楽曲を聴きながら、周辺にいるユーザが再生している楽曲を重ねて聴くことができる。また、予め受信或いは自身が再生している楽曲のどちらかだけを選択して鑑賞しても良い。
【００２９】
このとき、近くにいるユーザが再生（送信）している受信可能な複数の楽曲データは排他的に選択され、最も電波強度が高いものが選択される。さらに、制御ユニット１０１は、無線通信が切断されたときにも、再度最も受信状態の良いデータ通信を選択する。これにより、ユーザは安定して楽曲データの受信を行うことができる。また、選択されたデータ通信で受信を行っているときは、ユーザの操作があるまで、或いは一定時間が経過するまでは、データ通信の選択を行わない。
【００３０】
そして、データ再生装置１１３Ａ、１１３Ｂは共に、受信されている楽曲の強弱に同調してＬＥＤボタン１０９Ａ，１０９Ｂの発光ＬＥＤが緑色に点滅する。つまり、発光ＬＥＤの発光輝度が楽曲の強弱と連動する。従って、データ再生装置１１３ＡのユーザＡが本ＬＥＤの点滅を目立つ場所に示していれば、周囲にいるユーザＢはこれを見て、ユーザＡが自分の聴いている楽曲を同時に鑑賞していることを知ることができる。
【００３１】
（２）Ｓ３０４〜Ｓ３０７の動作
ユーザＢがユーザＡの聴いている楽曲を気に入り、コピーしたいと考えると、ユーザＢは、近くにいるユーザＡに対して、口頭などで楽曲データのコピー転送の意志を伝えることになる。そして、ユーザＡがその要求を受諾すると、ユーザＡ，Ｂは共に、それぞれのデータ再生装置１１３Ａ、１１３ＢのＬＥＤボタン１０９Ａ，１０９Ｂを押す（Ｓ３０４、Ｓ３０５）。
【００３２】
この押下によって制御ユニット１０１は、ＬＥＤボタンを白色で点灯させる。さらに、制御ユニット１０１は、接続されているヘッドフォンユニット１０６内の記憶素子１０８にアクセスして、ランダムに生成した認証コードを書き込む。さらに、書き込んだ認証コードを制御ユニット１０１内に保持する。ここで、データ再生装置１１３Ａに装着されていたヘッドフォンセット１０６Ａの記憶素子１０８には「ＩＤ＿Ａ」が記憶されているものとする。また、データ再生装置１１３Ｂに装着されていたヘッドフォンセット１０６Ｂの記憶素子１０８には「ＩＤ＿Ｂ」が記憶されたとする（Ｓ３０６、Ｓ３０７）。
【００３３】
（３）Ｓ３０８〜Ｓ３１９の動作
ユーザＡ、Ｂは共にＬＥＤボタン１０９Ａ，１０９Ｂを押した後、データ再生装置１１３Ａ，１１３Ｂからヘッドフォンユニット１０６Ａ（ＨＰＡ），１０６Ｂ（ＨＰＢ）をそれぞれ取り外す（Ｓ３０８、Ｓ３０９）。この時、データ再生装置１１３Ａ、１１３Ｂで再生中の楽曲は一時停止状態となる（Ｓ３１０、Ｓ３１１）。
【００３４】
そして、図２（ｂ）に示すように、ユーザＢは、ユーザＡのデータ再生装置１１３Ａに、自分のヘッドフォンユニット１０６Ｂを接続する（Ｓ３１２）。すると、データ再生装置１１３Ａの制御ユニット１０１は、着脱検出部１０５の信号によりヘッドフォンユニット１０６Ｂの装着を検知し、ヘッドフォンユニット１０６Ｂの記憶素子１０８に保存された認証コード「ＩＤ＿Ｂ」を読み出す（Ｓ３１３）。さらに、データ再生装置１１３Ａの制御ユニット１０１は、Ｓ３１３で読み出した「ＩＤ＿Ｂ」を無線通信Ｉ／Ｆ１１２を用いて送信する（Ｓ３１４）。
【００３５】
データ再生装置１１３Ｂ、Ｃの制御ユニット１０１は、前記認証コード「ＩＤ＿Ｂ」を受信する（Ｓ３１５、Ｓ３１６）。データ再生装置１１３Ｂの制御ユニット１０１は、保持している認証コード「ＩＤ＿Ｂ」と比較する（Ｓ３１７）。両者が一致すれば、ユーザＢのヘッドフォンユニット１０６Ｂがデータ再生装置１１３Ａに装着されたと確認されるので、データ再生装置１１３Ｂの制御ユニット１０１は、相互認証を完了して、ＬＥＤボタン１０９Ｂを青色に点灯させる（Ｓ３１９）。そして、認証完了信号をデータ再生装置１１３Ａに送出する。データ再生装置１１３Ａの制御ユニット１０１は、上記認証完了信号を受信した後、ＬＥＤボタン１０９Ａを青色に点灯させる（Ｓ３２０）。なお、データ再生装置１１３Ｃの制御ユニット１０１は「ＩＤ＿Ｂ」の受信を行うが、何も行わないことになる（Ｓ３１８）。
【００３６】
このようにして、事前に相互認証が必要な無線通信モードが確立される。ヘッドフォンユニットの交換は限定された近距離で行われるため、無線認証の意に反した使用は非常に困難である。また、本実施の形態による無線認証は、インターネット上で行われるファイル交換と比較して匿名性が低いので、ファイル交換が急激に拡がらないという特長がある。
【００３７】
（４）Ｓ３２１〜Ｓ３２３の動作
次に、データ再生装置１１３Ｂにヘッドフォンユニット１０６Ａの装着を行う（Ｓ３２１）。先にヘッドフォンユニット１０６Ｂを装着したデータ再生装置１１３Ａは楽曲データの送信側、データ再生装置１１３Ｂは楽曲データの受信側に設定される。つまり、ヘッドフォンユニットを着脱した順序に従って、各データ再生装置についてデータの送信側及び受信側の設定が行われる。ユーザＡ，Ｂは、データ再生装置１１３Ａ，ＢのＬＥＤボタン１０９Ａ，１０９Ｂが青色に点灯したことにより、楽曲データのコピーが行える状態になったことを知る。
【００３８】
その後、データ再生装置１１３Ａ或いは１１３ＢのＬＥＤボタン１０９Ａ，１０９Ｂが押下されると、データ再生装置１１３Ａで再生されていた楽曲データのデータ再生装置１１３Ｂへの転送が開始される。データ再生装置１１３Ａは楽曲データの送信動作、データ再生装置１１３Ｂは楽曲データの受信動作を行う（Ｓ３２２、Ｓ３２３）。このデータ通信は、相互認証が必要な無線通信モードで行われるので、データ再生装置１１３Ｃは受信ができない。
【００３９】
（５）Ｓ３２４〜Ｓ３２６の動作
次に、データ再生装置１１３Ａでの楽曲データの送信動作、及びデータ再生装置１１３Ｂでの楽曲データの受信動作について、さらに詳細に説明する。
【００４０】
データ再生装置１１３Ａの制御ユニット１０１は、送信動作が開始されると、Ｓ３１０で再生を一時停止中である楽曲データをデータ記憶部１００より読み出し、相互認証が必要な無線通信モードで無線通信Ｉ／Ｆ１１２を介して送信する。同時に、データ再生装置１１３Ａの制御ユニット１０１は、この楽曲データを圧縮して最初から再生し、ヘッドフォンユニット１０６Ｂに出力すると共に、圧縮した楽曲データを相互認証不要な無線通信モードでデータ再生装置１１３Ｂへ送信する（Ｓ３２４）。
【００４１】
一方、データ再生装置１１３Ｂの制御ユニット１０１は、相互認証が必要な無線通信モードで楽曲データを受信すると同時に、相互認証が不要な無線通信モードで圧縮した楽曲データを受信する。そして、相互認証が必要な無線通信モードで無線通信Ｉ／Ｆ１１２を介して受信した楽曲データをデータ記憶部１００に格納する。また、圧縮された楽曲データを展開して楽曲再生ユニット１０２に送り、再生する。ユーザＢはヘッドフォンユニット１０６Ａを用いて、該展開された楽曲データを鑑賞することができる（Ｓ３２５）。
【００４２】
このようにユーザＡとユーザＢが交換したヘッドフォンユニットからは、転送中の楽曲データの再生音が出力されることになる。さらに、該転送中は、ＬＥＤボタン１０９Ａ，１０９Ｂが楽曲の強弱に合わせて青に点滅する。これにより、ユーザＡ、Ｂは共に、データ再生装置１１３Ａからどの楽曲データがコピーされているのかを明確に知ることができ、意に反した操作で所望外の楽曲データがコピーされることを防止する効果がある。
【００４３】
データ再生装置１１３Ａの制御ユニット１０１は、楽曲データの転送が終了したら転送終了信号を相互認証が必要な無線通信モードでデータ再生装置１１３Ｂへ送る（Ｓ３２６）。
【００４４】
相互認証が必要な楽曲データの転送が、相互認証が不要な圧縮した楽曲データの再生より早く終了した場合、データ再生装置１１３Ａ，Ｂはヘッドフォンユニットでの再生をフェードアウトする。また、ＬＥＤボタン１０９Ａ，１０９Ｂを消灯する。このことにより、ユーザは楽曲データの転送が終了したことを知ることができる。
【００４５】
（６）Ｓ３２７、Ｓ３２８の動作
楽曲データの転送が終了すると、データ再生装置１１３Ａ、１１３Ｂは相互認証が必要な無線通信モードによって確立された相互認証状態を解除する（Ｓ３２７、Ｓ３２８）。再び相互認証状態を確立して楽曲データのコピーを行うには、交換したヘッドフォンユニット１０６Ａ、１０６Ｂの着脱状態を元に戻し、再びＳ３０１、Ｓ３０２からの上記動作シーケンスを行わなければならない。
【００４６】
前記相互認証状態が解除され、さらにヘッドフォンユニット１０６Ａまたは１０６Ｂの取り外しを着脱検出部１０５が検知すると、データ再生装置１１３Ａ、１１３Ｂ間の通信が終了する。なお、この通信の終了は、ヘッドフォンユニット１０６Ａまたは１０６Ｂの取り外しをトリガーとしたが、タイマを制御ユニット１０１に設けておき、このタイマが楽曲データの通信の開始から一定の経過時間を計測したときに、通信を終了するようにしても良い。また、ユーザからの指令、或いは通信相手先のデータ再生装置からの要求信号によって通信を終了しても構わない。
【００４７】
〈本実施の形態に係る利点〉
本実施の形態では、次のような利点を有している。
【００４８】
データ再生装置において通常、データ再生行為に使われている着脱可能なデバイスとして、例えばヘッドフォンユニットを用い、このヘッドフォンユニットに認証コードが記録された記憶素子１０８を含ませる。そして、このヘッドフォンユニットを通信相手と交換して、データ通信のための相互認証を行い、データの転送が終了すると、相互認証状態が解除される。再び相互認証を確立した通信を開始するには、ヘッドフォンユニットの着脱を元に戻して、再度ヘッドフォンユニットの交換を行わなくてはならない。ヘッドフォンユニットの交換相手が目視できる近距離で、上記デバイスの着脱によって相互認証を行うため、意に反した認証行為が困難である。このように、データ記録装置間のデータ通信において、意に反したコピーや盗聴などセキュリティ面で問題となる通信使用を招くことなく、しかも簡便にデータ通信を行うことが可能になる。
【００４９】
また、ヘッドフォンユニットに認証コードが記録された記憶素子１０８を含ませているので、従来のように、認証のための専用記録媒体である認証カードを常に携帯する必要がなく、利便性が向上する。
【００５０】
また、相互認証が必要な無線通信モードと相互認証が不要な無線通信モードを併用したので、データ通信の相互認証を行う前の試聴モードにおいて、相互認証が不要な無線通信モードを使用してデータの事前鑑賞を行うことができる。
【００５１】
なお、本実施の形態では、再生用データの再生に用いる着脱可能なデバイスとして、ヘッドフォンを適用したが、これに限定されず、例えば小型ディスプレイなどでも構わない。
【００５２】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５３】
この場合、記憶媒体から読み出されたプログラムコード自体が前述した実施の形態の機能を実現することになり、そのプログラムコード及び該プログラムコードを記憶した記憶媒体は本発明を構成することになる。
【００５４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしても良い。
【００５５】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５６】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５７】
【図１】実施の形態に係るデータ再生装置の構成を示すブロック図である。
【図２】実施の形態における楽曲データコピー時の動作を説明するための外観模式図である。
【図３】実施の形態における楽曲データコピー時の動作を示すシーケンス図である。
【符号の説明】
【００５８】
１００  データ記憶部
１０１  制御ユニット
１０２  音楽再生ユニット
１０３  表示部
１０４  操作部
１０５  着脱検出部
１０６  ヘッドフォンユニット
１０８  記憶素子
１０９  ＬＥＤボタン
１１１  有線通信Ｉ／Ｆ
１１２  無線通信Ｉ／Ｆ
１１３  データ再生装置
【図１】
2009105642.tif 000003
【図２】
2009105642.tif 000004
【図３】
2009105642.tif 000005